(57)【要約】【課題】電気電子機器収納用箱の天井に設けられた開口を介して換気扇を取り外せるようにすること。【解決手段】天井に開口１１を備え、筐体内に換気扇２を備えた電気電子機器収納用箱であって、前記換気扇が支持される支持部材３を備え、前記支持部材は上下方向に移動可能に構成され、前記支持部材は、第一の支持位置で換気扇を支持可能であるとともに、第一の支持位置より下方に位置する第二の支持位置で換気扇を支持可能とした構成とする。【選択図】図３
2018170399.tif 000002
【特許請求の範囲】
【請求項１】
天井に開口を備え、筐体内に換気扇を備えた電気電子機器収納用箱であって、前記換気扇が支持される支持部材を備え、前記支持部材は上下方向に移動可能に構成され、前記支持部材は、第一の支持位置で換気扇を支持可能であるとともに、第一の支持位置より下方に位置する第二の支持位置で換気扇を支持可能とした電気電子機器収納用箱。
【請求項２】
支持部材は、電気電子機器収納用箱に固定される固定部と、換気扇を保持する換気扇保持部を備え、前記固定部に対して、前記換気扇保持部が移動可能に接続された請求項１に記載の電気電子機器収納用箱。
【請求項３】
第一の支持位置で支持部材が箱形状をなす請求項１又は２に記載の電気電子機器収納用箱。
【請求項４】
前記開口は前記換気扇よりも前後方向若しくは左右方向が短く構成されており、固定部が電気電子機器収納用箱を構成するフレームに固定されており、前記固定部が、固定部とフレームを固定する固定位置よりも外側に張り出す張り出し部を備えた請求項１乃至３の何れかに記載の電気電子機器収納用箱。
【発明の詳細な説明】
【技術分野】
【０００１】
本発明は、電気電子機器収納用箱に関するものである。
【背景技術】
【０００２】
特許文献１に記載されているように、天井付近に換気扇を埋め込んだ電気電子機器収納用箱が知られている。この換気扇の取り付けや取り外しを行う場合は、天井面の下側となる筐体の内部から作業を行う。
【先行技術文献】
【特許文献】
【０００３】
【特許文献１】特開２０１０−２８８９１号公報
【０００４】
ところで、筐体内部に電気機器や配線が設置されている状態で、換気扇の取り付けや取り外しを行う場合には、筐体内部設置された電気機器や配線によって、作業の効率が低下させられてしまう。また、電気機器や配線を傷付けてしまう虞があった。
【発明の概要】
【発明が解決しようとする課題】
【０００５】
本件の発明者は、この点について鋭意検討することにより、解決を試みた。本発明の課題は、電気電子機器収納用箱の天井に設けられた開口を介して換気扇を取り外せるようにすることである。
【課題を解決するための手段】
【０００６】
上記課題を解決するため、天井に開口を備え、筐体内に換気扇を備えた電気電子機器収納用箱であって、前記換気扇が支持される支持部材を備え、前記支持部材は上下方向移動可能に構成され、前記支持部材は、第一の支持位置で換気扇を支持可能であるとともに、第一の支持位置より下方に位置する第二の支持位置で換気扇を支持可能とした電気電子機器収納用箱とする。
【０００７】
また、支持部材は、電気電子機器収納用箱に固定される固定部と、換気扇を保持する換気扇保持部を備え、前記固定部に対して、前記換気扇保持部が移動可能に接続された構成とすることが好ましい。
【０００８】
また、第一の支持位置で支持部材が箱形状をなす構成とすることが好ましい。
【０００９】
また、前記開口は前記換気扇よりも前後方向若しくは左右方向が短く構成されており、固定部が電気電子機器収納用箱を構成するフレームに固定されており、前記固定部が、固定部とフレームを固定する固定位置よりも外側に張り出す張り出し部を備えた構成とすることが好ましい。
【発明の効果】
【００１０】
本発明では、電気電子機器収納用箱の天井に設けられた開口を介して換気扇を取り外せるようにすることが可能となる。
【図面の簡単な説明】
【００１１】
【図１】実施形態の電気電子機器収納用箱の斜視図である。
【図２】実施形態の電気電子機器収納用箱の上部を表した斜視図である。ただし、外周面を形成するパネルや扉は省略している。また、換気扇は第一の支持位置で支持されている。
【図３】実施形態の電気電子機器収納用箱の上部を表した斜視図である。ただし、外周面を形成するパネルや扉は省略している。また、換気扇は第二の支持位置で支持されている。
【図４】実施形態の支持部材を斜め下方から見た斜視図である。但し、換気扇保持部は上方側に位置するように固定されている。
【図５】実施形態の支持部材を斜め下方から見た斜視図である。但し、換気扇保持部は下方側に位置するように固定されている。
【図６】実施形態の電気電子機器収納用箱内部構造の上部を側面から表した図である。ただし、換気扇は第一の支持位置で支持されている。
【図７】実施形態の電気電子機器収納用箱内部構造の上部を側面から表した図である。ただし、換気扇は第二の支持位置で支持されている。
【図８】実施形態の電気電子機器収納用箱の上部の分解斜視図である。ただし、外周面を形成するパネルや扉は省略している。
【図９】支持部材の分解斜視図である。
【発明を実施するための形態】
【００１２】
以下に発明を実施するための形態を示す。図１乃至図３に示されていることから理解されるように、本実施形態の電気電子機器収納用箱１は、天井に開口１１を備え、筐体内に換気扇２を備えている。また、この換気扇２が支持される支持部材３を備えており、この支持部材３は上下方向に移動可能に構成されている。支持部材３は、第一の支持位置で換気扇２を支持可能であるとともに、第一の支持位置より下方に位置する第二の支持位置で換気扇２を支持可能としている。このように構成された電気電子機器収納用箱１では、第二の支持位置に配置された換気扇２の上方に、換気扇２を傾けることが可能なスペースを確保することができる。このスペースが確保されることにより、換気扇２を開口１１から排出することが可能となる。このため、電気電子機器収納用箱１の天井に設けられた開口１１を介して換気扇２を取り外せるようになる。なお、本実施形態の開口１１は換気扇２よりも前後方向若しくは左右方向が短く構成されている。
【００１３】
図４及び図５に示すことから理解されるように、本実施形態の支持部材３は、電気電子機器収納用箱１に固定される固定部３１と、換気扇２を保持する換気扇保持部３２を備え、換気扇保持部３２が固定部３１に接続されたものである。また、換気扇保持部３２は上下方向に移動させることができ、図４に示すような位置から、図５に示すような位置に移動させることができるように構成されている。
【００１４】
図６に示すように、本実施形態の換気扇２は、支持部材３に覆われ、ラックを構成する電気電子機器収納用箱１の天井部分に固定される。本実施形態の支持部材３は、図６に示すように、第一の支持位置で換気扇２を支持することができる。本実施形態では、この第一の支持位置は、換気扇２を固定する際に配置される位置であり、換気扇２がこの位置で支持された場合、換気扇２を天井の開口１１から取り出すことはできない。
【００１５】
一方、本実施形態の支持部材３は、図７に示すように、第二の支持位置で換気扇２を支持することができる。この第二の支持位置は、換気扇２の取り付け取り外し時に一旦換気扇２を支持する位置である。換気扇２がこの位置で支持された場合、換気扇２を天井の開口１１から取り出すことができる。より具体的には、換気扇２の上部の空間を利用して換気扇２を傾けることで、換気扇２を天井の開口１１から取り出すことができる。なお、図８に示すように、換気扇２が電気電子機器収納用箱１の外部にある状態から、換気扇２を取り付ける際も、支持部材３は第二の支持位置まで移動させておく。このようにした上で、換気扇２を傾けた状態で開口１１から侵入させれば、換気扇２を電気電子機器収納用箱１内に位置させることができるようになる。
【００１６】
支持部材３は、電気電子機器収納用箱１に固定される固定部３１と、換気扇２を保持する換気扇保持部３２を備え、換気扇保持部３２が固定部３１に接続されたものとすることで、電気電子機器収納用箱１の天井に設けられた開口１１を介して換気扇２を取り外すための構造を、比較的簡単な構造とすることができる。本実施形態の支持部材３は、図９に示すように、ラックに固定される固定部３１と、換気扇２を保持する換気扇保持部３２と、固定部３１と換気扇保持部３２とを接続するコーナー金具３３とで構成されている。つまり、コーナー金具３３を介して換気扇保持部３２が固定部３１に接続された構成としている。
【００１７】
本実施形態の固定部３１は、断面略Ｚ字状に形成され、固定孔９９を介して、ラックの奥行フレーム１９に固定される。このように固定部３１をフレームに固定することで、固定部３１を強固に支持することが可能となる。
【００１８】
また、本実施形態では、固定部３１が、固定部３１とフレームを固定する固定位置よりも外側に張り出す張り出し部８１を備えている。このため、フレーム間の幅よりも大きな換気扇２を支持することができる。なお、本実施形態では、「固定部３１と奥行フレーム１９との固定位置」よりも、「固定部３１と換気扇保持部３２との固定位置」を奥行きフレーム１９の長手方向に垂直となる方向（筐体の左右方向）の外側に張り出すように構成しており、開口１１よりも大きな換気扇２を支持することができる。
【００１９】
本実施形態の固定部３１の側面部には、コーナー金具３３と固定するための固定孔９１を備える。また、固定部３１の側面部には、複数の孔９２が一列に並んで設けられているが、これは、奥行フレーム１９にマウントレールを固定する際に、干渉することを防ぐために設けられた孔である。
【００２０】
本実施形態の換気扇保持部３２は、断面略コ字状に形成され、換気扇２が収納される。本実施形態の換気扇保持部３２の端部は、天井面と平行となるように折り曲げられ、その折り曲げ面に天井面と固定するための孔９３を備えている。また、底面には、換気扇２を固定するための孔９４を備えている。
【００２１】
本実施形態の換気扇保持部３２の側面には、コーナー金具３３と接続するための丸孔９５と長円孔９６を備えている。換気扇保持部３２が上下移動する際は、長円孔９６に挿入されるネジ９７に沿うように、長円孔９６が上下移動する。
【００２２】
本実施形態では、換気扇２が固定状態のときには、換気扇保持部３２は上側に位置している状態である。また、端部の折り曲げ面と天井と、側面の丸孔９５、長円孔９６とコーナー金具３３とで換気扇保持部３２が支持されている。一方、換気扇２が着脱可能な状態のときには、換気扇保持部３２は下側に位置している状態であり、側面の長円孔９６とコーナー金具３３のみで換気扇保持部３２は支持されている。換気扇２が固定状態のとき、固定部３１と換気扇保持部３２とが換気扇の側面を覆う箱形状を形成している。このように第一の支持位置で支持部材が箱形状をなすものとすることで、支持部材に生じる隙間を少なくすることができ、換気扇の能力低下を防ぐことができる。
【００２３】
本実施形態の支持部材３の構成要素であるコーナー金具３３は、断面略Ｌ字状に形成され、直交する二つの辺には、固定部３１や換気扇保持部３２と固定するための孔９８を備えている。なお、本実施形態では、コーナー金具３３を別部材で設けたが、固定部３１の左右端部を折り曲げ、その折り曲げ面と換気扇保持部３２とを固定する構造としてもよい。
【００２４】
本実施形態の電気電子機器収納用箱１は、サーバー等の電気機器が収納されるラックである。ラック内に多くの電気機器を収納する必要があるため、換気扇の収納空間は余裕をもって確保されていないのが通常である。つまり、換気扇が固定状態では、換気扇の周囲に換気扇を移動させるための空間が確保されていない。しかし、本実施形態では、換気扇保持部３２を下方向に移動させることで、換気扇２の周囲（主に上方向）に換気扇２を移動可能にする空間を確保しているため、換気扇２の着脱を天井面から行うことができる。
【００２５】
本実施形態の電気電子機器収納用箱１は、防音対策を施したものである。具体的には、電気電子機器収納用箱１の天井に換気扇２を埋め込むことで、音の漏れを低減させている。また、換気扇２の排出面に面する天井の開口１１のサイズを小さくすることで音の漏れを低減している。また、換気扇２のサイズを大きくすることで、回転数を低下させ、換気扇２からの音の発生を抑えている。
【００２６】
このように、天井の開口１１のサイズを小さくしつつ、サイズの大きな換気扇２を天井に埋め込むことで、防音対策を施した電気電子機器収納用箱１とすることができる。なお、天井の開口１１が小さいとは、換気扇２よりもサイズが小さいことを意味し、より具体的には、開口１１の筐体前後方向若しくは左右方向のいずれか一方のサイズが、換気扇２よりも小さいことを意味する。
【００２７】
以上、一つの実施形態を中心に説明してきたが、本発明は上記実施形態に限定されることはなく、各種の態様とすることが可能である。例えば、固定部の形状は特に限定されず、ラックの天井面に固定されても構わない。
【符号の説明】
【００２８】
１  電気電子機器収納用箱
２  換気扇
３  支持部材
１１  開口
３１  固定部
３２  換気扇保持部
８１  張り出し部
【図１】
2018170399.tif 000003
【図２】
2018170399.tif 000004
【図３】
2018170399.tif 000005
【図４】
2018170399.tif 000006
【図５】
2018170399.tif 000007
【図６】
2018170399.tif 000008
【図７】
2018170399.tif 000009
【図８】
2018170399.tif 000010
【図９】
2018170399.tif 000011